(57)【要約】【課題】  大型の装置を必要とせず、夏場の夜間などに簡便に放射冷却利用して建物の室内を冷房できる屋根構造及び建物を提供すること。【解決手段】  屋根３の上面に金属板３１を葺き、この金属板３１を部屋２の天井面に設け金属板２１に、スイッチ５を介して熱伝導性のよい物体４で接続し、夏場の夜間などに放射冷却により外気温度よりも低くなった金属板３１により、部屋３の金属板２１を低温にして部屋の温度を低下させるようにした。【選択図】        図１
2005140482.tif 000002
【特許請求の範囲】
【請求項１】
上面が熱伝導性のよい板体で葺かれている屋根構造であって、前記熱伝導性のよい板体が、建物の室内面に設けられた熱伝導性のよい板体に熱伝導性のよい物体で接続可能とされていることを特徴とする屋根構造。
【請求項２】
屋根の上面が熱伝導性のよい板体で葺かれるとともに、建物の室内面に熱伝導性のよい板体が設けられ、前記屋根の熱伝導性のよい板体が、建物の室内に設けられた熱伝導性のよい板体に熱伝導性のよい物体で接続可能とされていることを特徴とする建物。
【請求項３】
建物の室内面に設けられた熱伝導性のよい板体が、建物の室内の天井面に設けられていることを特徴とする請求項２記載の建物。
【発明の詳細な説明】
【技術分野】
【０００１】
この発明は、放射冷却を利用した屋根構造と、この屋根構造を備えた建物に関する。
【背景技術】
【０００２】
放射冷却を利用し、夏期の夜間に建物の室内の冷房を行うものとして、太陽熱の採熱面としての金属板下の空気通路に夜間の冷気を取り込み、金属板の面からの放射冷却も作用させて採冷するソーラーシステムが提案されている（特許文献１参照）。
【特許文献１】特開平９−７２６１８号公報
【０００３】
このソーラーシステムは、ファンや空気循環のためのダクト等を設け、夏場の夜間に、金属板下の空気通路内の冷気を建物の室内に取り込むようにしている。
【発明の開示】
【発明が解決しようとする課題】
【０００４】
上記のソーラーシステムにおいては、金属板下の空気通路内の冷気を建物の室内に取り込むためのファンを設けたり、空気循環のためのダクトを設けるなどしているので、装置が大型となる問題があった。
【０００５】
この発明は、ファン、金属板下の空気通路、空気循環のためのダクト等の大型の装置を必要とせず、夏場の夜間などに簡便に放射冷却利用して建物の室内を冷房できる屋根構造及び建物を提供することを目的とする。
【課題を解決するための手段】
【０００６】
請求項１記載の発明の屋根構造は、上面が熱伝導性のよい板体で葺かれている屋根構造であって、前記熱伝導性のよい板体が、建物の室内面に設けられた熱伝導性のよい板体に熱伝導性のよい物体で接続可能とされていることを特徴とする。
【０００７】
請求項２記載の発明の建物は、屋根の上面が熱伝導性のよい板体で葺かれるとともに、建物の室内面に熱伝導性のよい板体が設けられ、前記屋根の熱伝導性のよい板体が、建物の室内に設けられた熱伝導性のよい板体に熱伝導性のよい物体で接続可能とされていることを特徴とする。
【０００８】
請求項３記載の発明の建物は、請求項２記載の発明の建物において、建物の室内面に設けられた熱伝導性のよい板体が、建物の室内の天井面に設けられていることを特徴とする。
【発明の効果】
【０００９】
請求項１記載の発明の屋根構造と請求項２記載の発明の建物にあっては、夏場の夜間などには、屋根上面の熱伝導性のよい板体が、放射冷却により外気温度よりも低くなるので、建物の室内面に設けられた熱伝導性のよい板体に熱伝導性のよい物体で接続することにより、建物の室内面に設けられた熱伝導性のよい板体も冷却されて温度が低下し、室内の温度を下げ、室内の温度環境を改善する。
【００１０】
また、冬場の晴天時の日中には、屋根上面の熱伝導性のよい板体が太陽光線により高温になるので、建物の室内面に設けられた熱伝導性のよい板体に熱伝導性のよい物体で接続することにより、その熱が建物の室内面に設けられた熱伝導性のよい板体に伝わって温度が上がり、室内の温度を上げ、室内の温度環境を改善する。
【００１１】
このように、屋根上面を熱伝導性のよい板体で葺き、この熱伝導性のよい板体を建物の室内面に設けられた熱伝導性のよい板体に熱伝導性のよい物体で接続するだけで、室内の温度環境を改善でき、装置が大掛かりにならず、そのエネルギー費用も掛からず、経済的に室内の温度環境を改善できる。
【００１２】
請求項３記載の発明の建物にあっては、上記請求項２記載の発明の建物の作用効果を奏するとともに、窓や出入口を設けたり、家財道具を置くことの多い壁面や、物品を置いたり、敷物等を敷くことの多い床面などに比べ、天井面には熱伝導性のよい板体を容易かつ広範囲に設けることができ、また屋根上面の熱伝導性のよい板体と熱伝導性のよい物体で接続可能とすることも容易であり、より効率的に室内の温度環境を改善できる。
【発明を実施するための最良の形態】
【００１３】
この発明を実施するための最良の形態を図面を参照して説明する。
【００１４】
図１は、この発明の屋根構造を備えた建物の一例を示す縦断面図である。
図１において、１は基礎、２は建物の部屋、２１は天井面に設けられた熱伝導性のよい板体、３は屋根、３１は屋根３の上面に設けられた熱伝導性のよい板体、４は熱伝導性のよい物体、５はスイッチである。
【００１５】
基礎１の上には、建物が建てられて部屋２が設けられている。
部屋２の天井面には熱伝導性のよい板体２１がほぼ全面にわたって設けられている。
熱伝導性のよい板体２１は、部屋２の壁面２２や床面２３に設けることもできるが、壁面２２には、窓や出入口を設けたり、家財道具を壁に沿わせて置いたりすることが多く、また、床面には、敷物等を敷いたり、物品を置いたりすることが多いので、天井面に熱伝導性のよい板体２１を設けるのがより好ましい。
なお、２４は天井断熱材である。
【００１６】
屋根３の上面には、鋼板からなる熱伝導性のよい板体３１が屋根材として葺かれている。屋根３のその他の構造については図示していないが従来の屋根構造と特に変わらないので説明を省略する。
【００１７】
屋根３の熱伝導性のよい板体３１の側面に接続されて熱伝導性のよい物体４が構造材として垂下設置されており、スイッチ５を介して天井面の熱伝導性のよい板体２１に接続可能とされている。
このスイッチ５は、鋼板からなる熱伝導性のよい板体が開閉できる構造となっており、閉じたときには、熱伝導性のよい物体４と部屋２の熱伝導性のよい板体２１とが接続し、開けたときには、熱伝導性のよい物体４と部屋２の熱伝導性のよい板体２１との接続が切断されるようになっている。
このスイッチ５の開閉は、手動または自動により行えるようになっている。
【００１８】
この実施例では、部屋２の天井面の熱伝導性のよい板体２１と屋根３の上面の熱伝導性のよい板体３１として、鋼板が用いられており、熱伝導性のよい物体４として鋼製構造材が用いられている。
鋼板や鋼製構造材の他に、他の熱伝導性のよい板体、物体であってもよい。また、熱伝導性のよい板体２１、熱伝導性のよい板体３１、熱伝導性のよい物体４は、それぞれ同一であっても別体であってもよい。
【００１９】
図面では、部屋２のみが示されているが、建物にはその他の必要な空間が形成されていることはもちろんであり、必要に応じてその他の部屋にも熱伝導性のよい板体２１を設け、屋根３の上面の熱伝導性のよい板体３１と接続可能としてもよい。
【００２０】
この実施例の屋根構造と建物にあっては、夏場の夜間などには、屋根上面の鋼板からなる熱伝導性のよい板体３１が、放射冷却により外気温度よりも低くなるので、部屋２の天井面に設けられた鋼板からなる熱伝導性のよい板体２１に、スイッチ５を介して鋼製構造材からなる熱伝導性のよい物体４で接続することにより、熱伝導性のよい板体２１も冷却され、部屋２の温度を下げ、室内の温度環境を改善する。
【００２１】
また、冬場の晴天時の日中には、屋根上面の鋼板からなる熱伝導性のよい板体３１が太陽光線により高温になるので、部屋２の天井面に設けられた鋼板からなる熱伝導性のよい板体２１に、スイッチ５を介して鋼製構造材からなる熱伝導性のよい物体４で接続することにより、その熱が天井面の鋼板からなる熱伝導性のよい板体２１に伝わって部屋２内に放熱され、室内の温度を上げ、室内の温度環境を改善する。
【００２２】
このように、屋根上面に鋼板からなる熱伝導性のよい板体３１を葺き、この熱伝導性のよい板体３１を部屋の天井面に設け鋼板からなる熱伝導性のよい板体２１に熱伝導性のよい物体４で接続するだけで、室内の温度環境を改善でき、装置が大掛かりにならず、そのエネルギー費用も掛からず、経済的に室内の温度環境を改善できる。
【産業上の利用可能性】
【００２３】
この発明によれば、屋根を熱伝導性のよい板体で葺き、この熱伝導性のよい板体を建物の室内面に設けた熱伝導性のよい板体に熱伝導性のよい物体で接続するだけで、夏場の夜間などに簡便に放射冷却利用して建物の室内を冷房でき、冬場の日中の晴天時に太陽熱を室内に伝えて暖房できるなど、経済的に室内の温度環境を改善できる。
【図面の簡単な説明】
【００２４】
【図１】この発明の屋根構造を備えた建物の一例を示す縦断面図である。
【符号の説明】
【００２５】
１        基礎
２        建物の部屋
２１      熱伝導性のよい板体
３        屋根
３１      熱伝導性のよい板体
４        熱伝導性のよい物体
５        スイッチ
【図１】
2005140482.tif 000003